(57)【特許請求の範囲】
【請求項１】
バーナと、そのバーナに点火する点火手段と、その点火手段を制御する制御手段と、その制御手段に接続された自動復帰式のスイッチと、点火を開始しても安全であることを確認する確認手段と、送風ファンと、その送風ファンを駆動させるモータを備えており、
確認手段はスイッチがオンされると、少なくともモータを駆動させてモータの回転数が所定値以上であることを確認する作動を開始し、制御手段はスイッチがオンされてから所定時間後で確認手段による確認作業の終了前にスイッチのオン・オフを判別し、スイッチがオンの場合には確認手段による確認作業が終了しても点火手段を動作させず、オフの場合には確認手段による確認作業の終了時に点火手段を動作させ、確認手段による確認作業で安全性が確認されないときにはスイッチのオン・オフによらず点火手段を動作させないことを特徴とするガス温風暖房機。
【請求項２】
スイッチがオンされてから点火が開始されるまでの間、点火を開始しても安全であることの確認とスイッチのオン・オフを判別している状態であることを報知する報知手段がさらに付加されていることを特徴とする請求項１に記載のガス温風暖房機。
【発明の詳細な説明】
【０００１】
【発明の属する技術分野】
本発明は燃焼装置に関するものである。特に、使用者が自動復帰式スイッチをオンすることによって点火動作を開始させる燃焼装置において、使用者が操作していないのにスイッチがオンになってしまった場合には点火動作が開始されないようにして安全を確保する技術に関するものである。
【０００２】
【従来の技術】
使用者が自動復帰式スイッチをオン操作することによって点火動作を動作させて燃焼運転を開始させる燃焼装置が知られている。ここで、点火動作とは、点火電極がスパークを発生するとともにバーナにガスが供給される動作を意味する。自動復帰式スイッチは、使用者が押すとオンになり、押すのを止めるとオフになる。自動復帰式スイッチは、軽く操作でき、ストロークがゼロまたは小さいので操作感に優れている。
反面、自動復帰式スイッチは、その上に物が載ることによってオンとなり、またスイッチ基板が電気的にショートしてオンになることもある。自動復帰式スイッチを燃焼装置の点火動作を開始させるために用いると、便利に操作できる反面、使用者が操作していないにもかかわらず点火動作が開始される可能性がある。
【０００３】
この問題に対処するために、自動復帰式スイッチがオンされた時に点火動作を開始する一方、スイッチがオンされてから所定時間後にスイッチのオン・オフを判別し、オンの場合には点火動作を停止し、オフの場合には点火動作を継続する燃焼装置が知られている。この場合、自動復帰式スイッチがオン・オフ判別時に既に点火が完了して燃焼運転が開始されており、しかもスイッチの判別結果がオンである場合には、燃焼運転を終了する。自動復帰式スイッチのオン・オフ判別時にオフである場合には燃焼運転が継続される。
この技術は、使用者が自動復帰式スイッチをオンにする時間は短時間であるという事実を巧みに利用している。すなわち、所定時間以上スイッチがオンされている場合には、使用者が操作したのではなく、スイッチに物が載ったり、あるいは電気的なショートが発生したりしてスイッチがオンになったものと判断し、点火動作を停止させたり、あるいは燃焼運転を終了させたりして安全を確保する。
【０００４】
【発明が解決しようとする課題】
しかしながら、上記の燃焼装置は、自動復帰式スイッチがオンになったときに点火動作を開始し、その後に所定時間が経過したときに、必要に応じて点火動作あるいは燃焼運転を中止させる方式であるために、スイッチに物が載ったりあるいは電気的なショートが発生したりした場合でも点火動作が開始され（場合によって引続き燃焼運転が行わることもある）、事後的に点火動作あるいは燃焼運転を中止するという問題がある。
【０００５】
本発明は、かかる問題を解決するためになされたものであり、自動復帰式スイッチが使用者の操作によらずにオンされても安全な燃焼装置を提供することを課題とする。
【０００８】
【課題を解決するための手段および作用と効果】
請求項１に記載のガス温風暖房機は、バーナと、そのバーナに点火する手段と、その点火手段を制御する手段と、その制御手段に接続された自動復帰式のスイッチと、点火を開始しても安全であることを確認する手段と、送風ファンと、その送風ファンを駆動させるモータを備えている。本発明の確認手段はスイッチがオンされると、少なくともモータを駆動させてモータの回転数が所定値以上であることを確認する作動を開始し、スイッチがオンされてから所定時間が経過した後に確認作業を完了する。本発明の制御手段は、スイッチがオンされてから所定時間後で前記確認手段による確認作業の終了前にスイッチのオン・オフを判別し、スイッチがオンの場合には前記確認手段による確認作業が終了しても点火手段を動作させず、オフの場合には前記確認手段による確認作業の終了時に点火手段を動作させる。また、前記確認手段による確認作業で安全性が確認されないときには、スイッチのオン・オフによらず点火手段を動作させない。
このように構成されていると、下記の効果が得られる。
（１）スイッチがオンされてから所定時間後にスイッチがオンかオフかを判別し、オンの場合には使用者が操作したものではないとして点火を行わない。一方、スイッチがオフの場合には使用者が操作したものとして点火を行う。このように制御するために、スイッチのオンが使用者の操作によらない場合には、点火が行われないので安全である。
（２）点火を行っても安全であることが確認されてから点火が行われる。一方、点火を行っても安全であることが確認されない場合には、点火が行われないので安全である。
（３）スイッチがオンかオフかの確認と、安全確認とを平行して行うことができるので、スイッチがオンにされてから点火が行われるまでの時間を短縮することができる。
【０００９】
上記の燃焼装置において、スイッチがオンされてから点火が開始されるまでの間、点火を開始しても安全であることの確認とスイッチのオン・オフを判別している状態であることを報知する報知手段が付加されていることが好ましい（請求項２）。
このように構成されていると、使用者は、スイッチをオンにしてから直ちに点火が行われずに燃焼が開始されなくても、燃焼装置が故障しているのではなく、安全確認を行っていることを認識することができる。
【００１４】
【発明の実施の形態】
（第１実施形態）
本発明の燃焼装置をガス温風暖房機１０に適用した第１実施形態を図１〜図６を参照しながら説明する。
図１、図２に示されているように、ガス温風暖房機１０の外郭は、金属板や樹脂等から製作されているケーシング１２によって形成されている。図２に示されているように、ガス温風暖房機１０の背面側には、室内の空気を取入れる室内空気取入口１４と、燃焼用の空気を吸い込む燃焼空気取入口１６が開口されている。室内空気取入口１４と燃焼空気取入口１６は、ケーシング１２に着脱自在に装着された防塵用のフィルタ１９によって覆われている。ガス温風暖房機１０には、背面下部に接続されているガスホース２２と図示しない電気コードを経由してガスと電力が供給されている。
ガス温風暖房機１０の前面側下部には、図１に示されているように、温風を吹き出す温風吹出口１５が開口されている。また、ガス温風暖房機１０の上面には、操作パネル１７が設けられている。操作パネル１７には、ガス温風暖房機１０を操作するための表示器や複数のスイッチが装着されている（これらの表示器やスイッチ等については、後述にて詳述する）。
【００１５】
ガス温風暖房機１０の構成について説明する。図３に示されているように、室内空気取入口１４と温風吹出口１５は、送風ダクト３２によって連通されている。電動モータ３６によって回転駆動されるラインフロータイプの送風ファン３４が、温風吹出口１５の上流に装着されている（室内空気取入口１４側を上流、温風吹出口１５側を下流とする）。電動モータ３６には、その回転数を検知する回転数センサ３５が取り付けられている。室温を検知するサーミスタタイプの室温センサ５１が、室内空気取入口１４の直下流に装着されている。
【００１６】
送風ファン３４の上流側には、バーナ３９が設けられている。バーナ３９は、燃焼胴３８と、その内部に取り付けられている多数の貫通穴が形成されている燃焼プレート３７と、燃焼プレート３７の上流側に配置されているカバー３１から構成されている。燃焼プレート３７の近傍には、燃焼炎の有無を検知するための熱電対４３と、空気とガスとの混合気に点火するための点火電極４２が装着されている。なお、電動モータ３６、回転数センサ３５、室温センサ５１、点火電極４２は、後述にて詳細に説明するコントローラ６２と電気的に接続されている。
ダクト４４は、燃焼空気取入口１６とバーナ３９の燃焼胴３８とを連通させているとともに、その途中に縮径部４４ａが形成されている。
【００１７】
ガスホース２２の下流に装着されているガス供給管４６には、上流側から順に２つの電磁開閉弁（４７、４８）、電磁比例弁４９が装着されている。電磁開閉弁（４７、４８）と電磁比例弁４９は、コントローラ６２に接続されている。電磁開閉弁（４７、４８）はソレノイドを内蔵した開閉弁であり、通電されると開いてガスを流通させ、通電が停止されると閉じてガスの流通を閉止する。電磁比例弁４９は、通電電流が増大するのにともなって開度が大きくなるタイプの比例弁であり、通電電流とガス流通量が比例する特性を有している。
ガス供給管４６の先端に形成されているノズル４６ａは、ダクト４４の縮径部４４ａに挿入されて固定されている。
【００１８】
操作パネル１７は、運転スイッチ５４、室温設定スイッチ５５、液晶表示器５６を備えている。運転スイッチ５４、室温設定スイッチ５５、液晶表示器５６はコントローラ６２に接続されている。運転スイッチ５４は自動復帰式であり、使用者が押し込むとオンになり、押し込んでいた力を抜くと元の位置に戻ってオフになる。室温設定スイッチ５５は、ガス温風暖房機１０が暖房する室内温度を設定するためのスイッチであり、１℃きざみで温度設定が可能とされている。液晶パネル５６には、室温設定スイッチ５５が設定した温度や、ガス温風暖房機１０の運転状況等の情報が表示される。
【００１９】
図４に示されているコントローラ６２は、内蔵したＣＰＵ、メモリ等によって入力された信号を所定の制御プログラムに従って処理し、制御信号を出力するディジタル式の制御器である。コントローラ６２は、燃焼制御部６２ａ、ファン制御部６２ｂ、安全確認／タイマー部６２ｃを内蔵している。燃焼制御部６２ａ、ファン制御部６２ｂ、安全確認／タイマー部６２ｃは、相互に通信してその内部処理に必要な情報を伝達している。コントローラ６２には、運転スイッチ５４、室温設定スイッチ５５、室温センサ５１、回転数センサ３５、熱電対４３からの信号が入力され、電磁開閉弁（４７、４８）、電磁比例弁４９、点火電極４２、電動モータ３６へ制御信号が出力される。
コントローラ６２の燃焼制御部６２ａは、運転スイッチ５４と室温設定スイッチ５５からの指示信号、室温センサ５１と熱電対４３からの検出信号に基づいて電磁開閉弁（４７、４８）、電磁比例弁４９、点火電極４２を制御することにより、バーナ３９の燃焼制御を行う。ファン制御部６２ｂは、運転スイッチ５４と室温設定スイッチ５５からの指示信号、室温センサ５１と熱電対４３と回転数センサ３５からの検出信号に基づいて電動モータ３６の回転数を制御する。
安全確認／タイマー部６２ｃは、点火が開始される前に送風ファン３４や熱電対４３の機能をチエックする安全確認と、運転スイッチがオフにされるタイミングとタイマーの時間との関係から運転スイッチ５４のオンが使用者によるものか否かの判別を行う。
【００２０】
ガス温風暖房機１０の運転スイッチ５４が操作されてから点火開始まで、あるいは異常が検知されて点火が開始されない場合の動作を、図５のフローチャートを用いて説明する。
運転スイッチ５４がオンにされると（Ｓ１４）、図５に示されているように、その信号をコントローラ６２が受信し、安全確認／タイマー部６２ｃによって電動モータ３６の起動と熱電対の出力チェックが実行されることにより安全確認がスタートされる（Ｓ１８）。電動モータ３６の起動チェックは、電動モータ３６に動作信号を送信し、回転数センサ３５が検知した電動モータ３６の回転数が所定値以上であることを確認することにより行われる。この電動モータ３６の起動チェックは、点火が開始される前に送風ダクト３２内を換気して、万が一のガスの滞留を防止するパージ運転と兼行で行われる。熱電対４３の出力チェックは、熱電対４３の出力電圧が燃焼開始前に想定される燃焼胴３８内の温度に対応した所定範囲内であることを確認することにより行われる。
なお、この安全確認は、燃焼制御部６２ａやファン制御部６２ｂや安全確認／タイマー部６２ｃに模擬的な信号を入力し、処理された結果の出力信号が所定のものであることをチェックすることにより、これらの機能が正常であることを確認するようにしてもよい。
【００２１】
続くＳ２２においては、安全確認が終了したか否かが判別される。安全確認が終了していない場合（ＮＯの場合）には、安全確認終了まで待機する。安全確認が終了している場合（ＹＥＳの場合）には、引き続くＳ２６に移行する。
Ｓ２６においては、運転スイッチ５４の操作が使用者によるものか否かを判別するタイマーがスタートされ、引き続くＳ３０において、運転スイッチ５４がオンかオフかが判別される。運転スイッチ５４がオンの場合（ＮＯの場合）には、Ｓ３４に移行してタイマーのスタートから１５秒経過したか否かが判別される。
【００２２】
Ｓ３４で１５秒経過していないと判別された場合（ＮＯの場合）には、Ｓ３０の前の処理に戻る。使用者が運転スイッチ５４を押し込んでオンにしてから、押し込む力を抜いてオフにするまでの時間は短時間である。よって、Ｓ３４において運転スイッチ５４が１５秒経過後にもオンであると判別された場合には、使用者の操作によるオンではなく、運転スイッチ５４の上に物が載ってオンにされているか、電気的なショートが発生していると判断できる。従って、Ｓ３４で１５秒経過後にスイッチがオンであると判別された場合（ＹＥＳの場合）には、Ｓ３８に移行して操作パネル１７の液晶表示器５７に異常表示が行われる。なお、異常表示を行わずに、通常停止状態に戻るように構成することもできる。
使用者の操作による運転スイッチ５４のオンでないと判断された場合でも、このことがコントローラ６２のメモリにエラー履歴として記憶されないように構成することもできる。これは、使用者が運転スイッチ５４を押し続ける誤操作を行う可能性があるので、誤操作によって本来残しておくべきエラー履歴が上書きされて消えてしまうのを防止するためである。
【００２３】
Ｓ３０において運転スイッチ５４がオフと判別された場合には、Ｓ４２で点火電極４２がスパークを発生させ、Ｓ４６で電磁開閉弁（４７、４８）と電磁比例弁４９が開かれることにより、ガスと空気の混合気に点火されて燃焼運転が開始される。なお、Ｓ３０で運転スイッチ５４がオフと判別された場合でも、Ｓ４２とＳ４６の作動を直に行わず、タイマーのスタートから１５秒経過してから行うように構成することもできる。
運転スイッチ５４がオンにされてから点火が開始されるまでの間は、操作パネル１７の液晶表示器５７に「安全確認／タイマー」の表示が行われる。この表示が行われることにより、使用者は安全確認とタイマーの作動が行われていることを認識できるので、ガス温風暖房機１０が故障しているのではないかとの疑念を抱いてしまい、ストレスを感じてしまうことが防止される。
【００２４】
以上説明した図５のフローチャートに従って動作すると、運転スイッチ５４がオフにされるタイミングによって、点火の開始時点がどのように変化するかを図６のタイミングチャートを参照しながら説明する。図６には、運転スイッチがオフにされるタイミングが異なる３つの事象（事象１、事象２、事象３）において、各事象毎に運転スイッチ５４のオン／オフと点火と燃焼状態が図示されている。また、図６においては、時間は左から右に向けて経過する。
【００２５】
（事象１）  オンにされた運転スイッチ５４は、安全確認が終了する前にオフにされる。運転スイッチ５４が安全確認終了前にオフにされても、直ちに点火は開始されず、安全確認終了後に点火が開始される。
なお、燃焼運転は、電動モータ３６が作動し、通電された点火電極４２がスパークを発生し、電磁開閉弁（４７、４８）と電磁比例弁４９が開かれて燃焼胴３８内にガスと空気との混合気が供給され、混合気に点火されることによって開始される。
【００２６】
（事象２）  運転スイッチ５４は、タイマー時間内（タイマーがスタートされてから１５秒以内）にオフにされる。運転スイッチ５４がタイマー時間内にオフにされると、運転スイッチ５４がオフにされた時点から点火が開始され、燃焼運転が行われる。
【００２７】
（事象３）  運転スイッチ５４は、タイマー時間経過後にオフにされる。この  場合には、点火は開始されず、異常表示が行われる。よって、燃焼運転は実行されない。
【００２８】
ガス温風暖房機１０の燃焼運転開始後の動作について説明する。
燃焼運転中には、コントローラ６２に制御されて、電動モータ３６が回転され、電磁開閉弁（４７、４８）が開かれ、電磁比例弁４９によってガス供給量が調整される。電動モータ３６が回転されると、これに駆動される送風ファン３４も回転し、室内空気取入口１４から室内の空気が送風ダクト３２内に吸い込まれ、バーナ３９の周りを流れる。バーナ３９の周りを空気が流れると、カバー３１が設けられていることにより燃焼胴３８内の圧力が負圧となり、ダクト４４を経由して室内の空気が燃焼胴３８内に吸い込まれる。
【００２９】
電磁開閉弁（４７、４８）が開かれ、電磁比例弁４９がガス供給量を調整すると、ガス供給管４６のノズル４６ａからガスがダクト４４内に噴出され、室内から吸い込まれた空気と混合される。混合された空気とガスは燃焼胴３８内で燃焼され、温風として温風吹出口１５から吹き出されて室内を暖房する。コントローラ６２は、室温設定スイッチ５５や室温センサ５１からの入力信号に基づいて電動モータ３６の回転数や電磁比例弁４９の開度を調整することにより、暖房風量や暖房温度を適切に制御する。
また、コントローラ６２は、熱電対４２の出力値が所定電圧以下の場合には、酸欠あるいは失火によって燃焼が行われていないと判断し、電磁開閉弁（４７、４８）と電磁比例弁４９を閉じる消火制御が実行される。
【００３０】
燃焼運転中に運転スイッチ５４がオンにされると、コントローラ６２に制御されて電磁開閉弁（４７、４８）と電磁比例弁４９が閉じられ、電動モータ３６が停止されることによりガス温風暖房機１０の運転は停止される。
【００３１】
（第２実施形態）
本発明の第２実施形態を図７、図８を参照しながら説明する。なお、第１実施形態と重複する説明は省略する。
本第２実施形態は、第１実施形態と異なり、運転スイッチ５４がオンかオフかの判別が安全確認終了前に行われる。この動作を図７のフローチャートを用いて説明する。運転スイッチ５４がオンにされると（Ｓ５２）、Ｓ５６で安全確認がスタートされ、続くＳ６０において運転スイッチ５４の操作が使用者によるものか否かの判別タイマーがスタートされる。Ｓ６４では、運転スイッチ５４がオンかオフかが判別される。Ｓ６４で運転スイッチ５４がオンと判別された場合（ＮＯの場合）には、Ｓ６６に移行してタイマーのスタートから１５秒経過したか否かが判別される。Ｓ６６で１５秒経過していないと判別された場合（ＮＯの場合）には、Ｓ６４の前の処理に戻る。Ｓ６６で１５秒経過していると判別された場合（ＹＥＳの場合）には、オンにされてから１５秒後にも運転スイッチ５４がオンであり、運転スイッチ５４の上に物が載ってオンにされているか、電気的なショートが発生していると判断できる。よって、Ｓ６６で１５秒経過していると判断された場合（ＹＥＳの場合）の場合には、Ｓ７０に移行して操作パネル１７の液晶表示器５７に異常表示が行われる。
【００３２】
Ｓ６４で運転スイッチ５４がオフと判別された場合（ＹＥＳの場合）には、Ｓ７４に移行して安全確認が終了したか否かが判別される。Ｓ７４で安全確認が終了していない場合（ＮＯの場合）には、安全確認終了まで待機する。安全確認が終了している場合（ＹＥＳの場合）には、引き続くＳ７８が行われる。Ｓ７８においては、点火電極４２が作動してスパークが発生され、続くＳ８２で電磁開閉弁（４７、４８）と電磁比例弁４９が開かれることにより、ガスと空気の混合気に点火されて燃焼運転が開始される。
【００３３】
以上説明したフローチャート（図７）に従って動作すると、運転スイッチ５４がオフにされるタイミングによって、点火の開始時点がどのように変化するかを図８にタイミングチャートとして図示した、事象４〜事象６を用いて説明する。
【００３４】
（事象４）  オンにされた運転スイッチ５４は、タイマー時間内にオフにされる。運転スイッチ５４がタイマー時間内にオフにされても、直ちに点火は開始されず、安全確認終了後に開始される。
【００３５】
（事象５）  運転スイッチ５４は、タイマー時間が終了してから安全確認終了前までの間にオフにされる。この場合には、点火は開始されず、異常表示が行われる。よって、燃焼運転は実行されない。
【００３６】
（事象６）  運転スイッチ５４は、安全確認終了後にオフにされる。この場合には、上記事象５と同様に、点火は開始されず、異常表示が行われる。よって、燃焼運転は実行されない。
【００３７】
（第３実施形態）
本発明の第３実施形態を図９、図１０を参照しながら説明する。なお、第１実施形態と重複する説明は省略する。
本第３実施形態は、運転スイッチ５４がオンされると点火電極４２の作動と安全確認が行われ、安全確認が終了すると点火電極４２を作動させる。そして、安全確認が終了してから所定時間内に運転スイッチ５４がオンかオフかを判別し、オンの場合には、電磁開閉弁（４７、４８）と電磁比例弁４９が閉じられたままにされる。ここで、安全確認とは、例えば、燃焼制御部６２ａやファン制御部６２ｂや安全確認／タイマー部６２ｃに模擬的な信号を入力し、処理された結果の出力信号が所定のものであることをチェックすることにより、これらの機能が正常であることを確認するようなものである。
本第３実施形態の燃焼装置の動作を、図９のフローチャートを参照しながら説明する。運転スイッチ５４がオンされると（Ｓ１１０）、Ｓ１１８で安全確認がスタートされ、引き続くＳ１２０で点火電極４２が作動される。すなわち、運転スイッチ５４がオンされると、安全確認のスタートと点火電極４２の作動が行われる。続くＳ１２２では、安全確認が終了したか否かが判別され、安全確認が終了していない場合（ＮＯの場合）には、その終了まで待機する。安全確認が終了している場合（ＹＥＳの場合）には、Ｓ１２８に移行する。
【００３８】
Ｓ１２８においては、運転スイッチ５４の操作が使用者によるものか否かの判別タイマーがスタートされ、Ｓ１３０に移行する。Ｓ１３０では、運転スイッチ５４がオンかオフかが判別される。Ｓ１３０で運転スイッチ５４がオンと判別された場合（ＮＯの場合）には、Ｓ１３４に移行してタイマーのスタートから１５秒経過したか否かが判別される。Ｓ１３４で１５秒経過していないと判別された場合（ＮＯの場合）には、Ｓ１３０の前の処理に戻る。Ｓ１３４で１５秒経過していると判別された場合（ＹＥＳの場合）には、Ｓ１３８に移行して操作パネル１７の液晶表示器５７に異常表示が行われる。
Ｓ１３０で運転スイッチ５４がオフと判別された場合（ＹＥＳの場合）には、Ｓ１４６で電磁開閉弁（４７、４８）と電磁比例弁４９が開かれ、ガスと空気の混合気がバーナ３９に供給される。既に、Ｓ１２０において点火電極４２が作動してスパークが発生しているので、ガスと空気の混合気に点火が行われて燃焼運転が開始される。
なお、運転スイッチ５４がオンされてから電磁開閉弁（４７、４８）と電磁比例弁４９が開かれるまでの間は、操作パネル１７の液晶表示器５７に「安全確認／タイマー」の表示が行われる。
【００３９】
以上説明したフローチャート（図９）に従って動作すると、運転スイッチ５４がオフにされるタイミングによって、点火の開始時点がどのように変化するかを図１０にタイミングチャートとして図示した事象７〜事象９を用いて説明する。
【００４０】
（事象７）  オンにされた運転スイッチ５４は、安全確認終了前にオフにされる。点火電極４２は運転スイッチがオンにされると作動を開始する。この場合には、安全確認が終了した時点で電磁開閉弁（４７、４８）と電磁比例弁４９が開かれ、点火電極４２が発生しているスパークがガスと空気の混合気に点火して燃焼運転が開始される。
【００４１】
（事象８）  運転スイッチ５４は、タイマー時間内にオフにされる。この場合には、運転スイッチ５４がオフにされた時点で電磁開閉弁（４７、４８）と電磁比例弁４９が開かれ、燃焼運転が開始される。
【００４２】
（事象９）  運転スイッチ５４は、タイマー時間経過後にオフにされる。この場合には、電磁開閉弁（４７、４８）と電磁比例弁４９は開かれない。よって、燃焼運転は行われない。
【００４３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時の請求項記載の組み合わせに限定されるものではない。また、本明細書または図面に例示した技術は複数目的を同時に達成するものであり、そのうちの一つの目的を達成すること自体で技術的有用性を持つものである。
従って、例えば以下に記載するように構成することもできる。
【００４４】
（１）点火電極４２作動前、あるいは電磁開閉弁（４７、４８）と電磁比例弁４９が開かれていないことの報知は、必ずしも表示に限られるものではない。例えば、メロディや音声によるものであってもよい。
【００４５】
（２）運転スイッチのオンで安全確認と運転スイッチがオンかオフかを確認するタイマーが開始され、安全確認終了後の運転スイッチがオンにされてから所定時間内に運転スイッチのオンかオフかの確認が行われるように構成してもよい。
このように構成されていると、安全確認とスイッチがオンかオフかの確認とを平行して行うことができるので、スイッチがオンにされてから点火動作開始までの時間を短縮することができる。
【図面の簡単な説明】
【図１】本発明の第１実施形態に係るガス温風暖房機の前面側の斜視図。
【図２】本発明の第１実施形態に係るガス温風暖房機の背面側の斜視図。
【図３】本発明の第１実施形態に係るガス温風暖房機の内部模式図。
【図４】本発明の第１実施形態に係るコントローラの内部構成と、コントローラと他の構成部品との接続状態を示す模式図。
【図５】本発明の第１実施形態に係る運転スイッチがオンにされてから点火動作が開始されるまでのフローチャート。
【図６】本発明の第１実施形態に係る運転スイッチがオンにされてから点火動作が開始されるまでのタイミングチャート。
【図７】本発明の第２実施形態に係る運転スイッチがオンにされてから点火動作が開始されるまでのフローチャート。
【図８】本発明の第２実施形態に係る運転スイッチがオンにされてから点火動作が開始されるまでのタイミングチャート。
【図９】本発明の第３実施形態に係る運転スイッチがオンにされてから点火動作が開始されるまでのフローチャート。
【図１０】本発明の第３実施形態に係る運転スイッチがオンにされてから点火動作が開始されるまでのタイミングチャート。
【符号の説明】
１０：ガス温風暖房機
１２：ケーシング
１４：室内空気取入口
１５：温風吹出口
１６：燃焼空気取入口
１７：操作パネル
１９：フィルタ
２２：ガスホース
３１：カバー
３２：送風ダクト
３４：送風ファン
３５：回転数センサ
３６：電動モータ
３７：燃焼プレート
３８：燃焼胴
３９：バーナ
４２：点火電極
４３：熱電対
４４：ダクト、４４ａ：縮径部
４６：ガス供給管、４６ａ：ノズル
４７、４８：電磁開閉弁
４９：電磁比例弁
５１：室温センサ
５４：運転スイッチ
５５：室温設定スイッチ
５６：液晶表示器
６２：コントローラ、６２ａ：燃焼制御部、６２ｂ：ファン制御部、６２ｃ：安全確認／タイマー部
【図１】
0003954340.tif 000002
【図２】
0003954340.tif 000003
【図３】
0003954340.tif 000004
【図４】
0003954340.tif 000005
【図５】
0003954340.tif 000006
【図６】
0003954340.tif 000007
【図７】
0003954340.tif 000008
【図８】
0003954340.tif 000009
【図９】
0003954340.tif 000010
【図１０】
0003954340.tif 000011